(57)【特許請求の範囲】
【請求項１】
電線接続機構を備える電気機器を取付台に取り付ける電線接続機構を備える電気機器の取付構造において、電気機器に電線の挿入を阻止する電線孔安全弁と取付台に設けた係止孔部に挿入される本体ロック片とを連動するよう上下に一体に設けた電気機器取付具を備えたものとして、本体ロック片が取付台に設けた係止孔部に挿入されている場合に電線の挿入を阻止する電線孔安全弁が電線の挿入を可能とする位置に達していることを特徴とする電線接続機構を備える電気機器の取付構造。
【請求項２】
電気機器を取付台に摺動自在に取り付けものとし、取付時に電気機器取付具を常時取付台側に付勢させた請求項１に記載の電線接続機構を備える電気機器の取付構造。
【請求項３】
電気機器取付具の両側を電気機器の背面両側に設けた縦溝部に摺動自在に嵌合したうえ、該電気機器取付具の両側に突設した弾性片を前記縦溝部の溝底に形成した下広がり部により常時下方に付勢させるるとともに本体ロック片の下面を電気機器の取付摺動方向に先端側から下向き傾斜させた請求項２に記載の電線接続機構を備える電気機器の取付構造。
【請求項４】
電気機器取付具に電線孔の間の前面側に介入する絶縁壁を設けた請求項１、２又は３に記載の電線接続機構を備える電気機器の取付構造。
【発明の詳細な説明】
【０００１】
【発明の属する技術分野】
本発明は、電線接続機構を備える電気機器を取付台に取り付けるための電気機器の取付構造に関するものである。
【０００２】
【従来の技術】
電線接続機構を備える電気機器としてブレーカや端子台等があり、例えば、分岐ブレーカはネジ端子式、プラグイン式を問わずブレーカ本体に設けた取付孔に取付ねじを挿入して取付台に固定する方法が一般的であり、端子部に電線を接続した状態であっても取付ねじを外すことができるものであった。
ところが、この従来の方法は、設置現場等でブレーカを増設したり、種類の違うものに、例えば、サーキットブレーカを漏電ブレーカに、また、１００Ｖ用を２００Ｖ用に取り替えたりするときにブレーカ本体が取付台に確実にロックされているのを確認するには取付孔の取付ねじが締められていることを１個づつ確認しなければならず作業性が悪かった。また、万一取付台への固定を忘れると、最悪の場合、通電状態で分岐ブレーカが母線バーから脱落し、事故につながる可能性があった。また、誤って負荷に電気を供給している状態でブレーカを母線バーから外すと大量のアークが飛び危険である問題がある。
【０００３】
【発明が解決しようとする課題】
そこで、電線接続機構を備える電気機器を取付台に確実にロックでき、ロックされていない場合には電気機器への電線の接続が不可能であり、また、電線が電気機器に接続された状態では電気機器を取付台から外すことができない電気機器の取付構造及び電気機器本体を母線バーに向け摺動させることにより、自動的に取付台にロックされる電線接続機構を備える電気機器の取付構造が待望されていた。
【０００４】
【課題を解決するための手段】
前記の待望に応えるためになされた本発明は、電線接続機構を備える電気機器を取付台に取り付ける電線接続機構を備える電気機器の取付構造において、電気機器に電線の挿入を阻止する電線孔安全弁と取付台に設けた係止孔部に挿入される本体ロック片とを連動するよう上下に一体に設けた電気機器取付具を備えたものとして、本体ロック片３２が取付台２に設けた係止孔部２２に挿入されている場合に電線の挿入を阻止する電線孔安全弁３１が電線の挿入を可能とする位置に達していることを特徴とするものを請求項１に記載の発明とし、この発明において、電気機器を取付台に摺動自在に取り付けものとし、取付時に電気機器取付具を常時取付台側に付勢させたものを請求項２に記載の発明とする。そして、前記請求項２に記載の発明において、電気機器取付具の両側を電気機器の背面両側に設けた縦溝部に摺動自在に嵌合したうえ、該電気機器取付具の両側に突設した弾性片を前記縦溝部の溝底に形成した下広がり部により常時下方に付勢させるるとともに本体ロック片の下面を電気機器の取付摺動方向に先端側から下向き傾斜させたものを請求項３に記載の発明とし、前記のこれらの発明において、電気機器取付具に電線孔の間の前面側に介入する絶縁壁を設けたものを請求項４に記載の発明とする。
【０００５】
【発明の実施の形態】
次に、本発明の好ましい実施形態を電線接続機構を備える電気機器である分岐用のブレーカの取付構造により説明する。
１は電線接続機構を備える電気機器である分岐用のブレーカであり、このブレーカ１は取付台２にその下面の前後両側に対向して突設した横溝部１１、１１を取付台２に透設した抜き孔の孔縁により形成したレール部２１、２１に係合させて摺動自在に取り付けられるものである。
【０００６】
３は前記ブレーカ１の負荷側に設けた電気機器取付具であり、該電気機器取付具３は負荷端子用の電線孔１２への電線の挿入を阻止する電線孔安全弁３１と取付台２に設けた係止孔部２２に挿入される本体ロック片３２とが連動するよう上下に一体に設けて構成されており、電線孔安全弁３１が電線の挿入を可能とする時に本体ロック片３２が取付台２に設けた係止孔部２２に挿入された状態とされている。この本体ロック片３２が取付台２に設けた係止部に係止されれば取付状態となる。
【０００７】
また、前記電気機器取付具３はブレーカ１が取付台２に取付時に常時取付台２側に付勢させるものとすることが好ましいものである。この付勢手段としては図６に示すように、電気機器取付具３の両側をブレーカ１の背面両側に設けた縦溝部１３、１３に摺動自在に嵌合したうえ、該電気機器取付具３の両側に突設した弾性片３３、３３を前記縦溝部１３、１３の溝底に形成した下広がり部１３ａにより常時下方に付勢させるものとしている。
【０００８】
なお、下広がり部１３ａの上方に続けて上広がり部１３ｂを形成することにより、電気機器取付具３を手指の操作で弾性片３３の先端がこの上広がり部１３ｂに達するまで上動させれば、電気機器取付具３のロック本体３２に解除位置に保持されるとともに電線孔安全弁３１は電線孔１２への電線の挿入を阻止することとなる。このようにすることにより、電気機器取付具３はロック解除位置を保持できるので、手指で解除状態を保持させる必要がないので片手によりブレーカ１の取付台２への脱着が可能となる。
【０００９】
また、電気機器取付具３を常時取付台２側に付勢させるものとした場合に、本体ロック片３２の下面３２ａをブレーカ１の取付摺動方向に先端から下向きに傾斜させておけば、ブレーカ１を取付台２に摺動して取り付ける際に自動的に本体ロック片３２が付勢手段に抗して取付台２の端部に押圧されて上動したうえ下動して係止孔部２２に挿入されることとなり、ブレーカ１を取付台２に押し付けてスライドするだけで取付、ロックが行われ簡単な取付作業となる。また、図８に示すように電気機器取付具３には電線孔１２、１２の間の前面側に介入する絶縁壁３４を設けておけば、電線孔１２に挿入する電線５の被覆が短くても絶縁を確保できるので、電線被覆の剥離に多少のばらつきがあっても対応できるものである。なお、絶縁壁３４は操作取手３５に立設させて設けてあるが電気機器取付具３の背面に直接設けてもよい。
【００１０】
このように構成されたものは、ブレーカ１を取付台２に摺動自在に取り付けたうえ、図４、図５に示すようにブレーカ１に備えた電気機器取付具３を下方に摺動させれば、これに連動する電線の挿入を阻止する電線孔安全弁３１が電線の挿入を可能位置に達するとともに本体ロック片３２が取付台２に設けた係止孔部２２に挿入されることとなる。これにより、取付台２に摺動自在に取り付けたブレーカ１は取付台２に対して上下方向及び左右方向に対する規制の他に前後方向にもロックされるので、ブレーカ１は取付台２から外れることがないものである。
【００１１】
このように本体ロック片３２が取付台２に設けた係止孔部２２に挿入されている場合に電線の挿入を阻止する電線孔安全弁３１が電線の挿入を可能とする位置に達しているから電線５を電線孔１２に挿入でき電線の接続が行われることができる。この場合に、電線５が電線孔安全弁３１の上端に位置しているから、この電線５に規制されて該電線安全弁３１が上動が阻止されるので、これと連動するする本体ロック片３２も取付台２に設けた係止孔部２２から抜け出ることがないものである。従って、通電状態でブレーカ１が取付台２から脱落して事故につながることも、誤って負荷に電気を供給している状態でブレーカ１を母線バー８から外して大量のアークを飛び出せる危険もないものである。
【００１２】
また、本体ロック片３２が取付台２に設けた係止孔部２２に挿入されていない状態では、電線の挿入を阻止する電線孔安全弁３１が電線孔１２の前面を覆った状態であるので、不完全な取付状態であるブレーカ１に電線５を接続することがないので安全を確保できるうえ、電線５を外して初めて本体ロック片３２に取付台２に設けた係止孔部２２へのロックを解除できるので、電線５を接続した状態で不用意にブレーカ１を外すことがないものである。
【００１３】
さらに、電気機器取付具３をブレーカ１が取付台２に取付時に常時取付台２側に付勢させるものとしておけば、電線５が離脱しても本体ロック片３２が取付台２に設けた係止孔部２２へのロックを解除ですることがないものである。また、図１に示すように取付台２に矢印などブレーカ１のスライドを開始する目印９を付けておくことが好ましい。なお、前記図示の実施形態はプラグイン式ブレーカにより説明したがこれに限定されることはなくネジ端子式ブレーカであってもよく、端子台その他電線接続機構を備えて取付台に取り付ける電気機器であればよいことは勿論である。
【００１４】
【発明の効果】
前記したように、本発明に係る電線接続機構を備える電気機器の取付構造は、電気機器を取付台にロックしていない場合には電気機器への電線の接続が不可能であるうえ、電線が電気機器に接続された状態では電気機器を取付台から外すことが不可能であるため、現場で設置する時の安全面で優れている。また、電気機器を母線バーに向けて摺動させることにより、自動的に取付台にロックされるので、作業性も優れたものである。さらに、電気機器取付具に絶縁壁を設けることにより電線の被覆が多少短くても安全である利点がある。
従って、従来の問題点を解決したものであり、業界にもたらす益大なものである。
【図面の簡単な説明】
【図１】本発明の実施形態を示す斜視図である。
【図２】本発明の実施形態の要部を示す断面図である。
【図３  】本発明の実施形態の要部を示す斜視図である。
【図４】本発明の実施形態の要部を態様を異にして示す断面図である。
【図５】本発明の実施形態の要部を態様を異にして示す斜視図である。
【図６】本発明の実施形態に使用する電気機器取付具を示す正面図である。
【図７】本発明の実施形態に使用する電気機器取付具を示す正面図である。
【図８】本発明の実施形態の電気機器の他例を示す斜視図である。
１  ブレーカ
31  縦溝部
13a 下広がり部
２  取付台
22  係止孔部
３  電気機器取付具
31  電線孔安全弁
31  本体ロック片
32a 本体ロック片の底面
34  絶縁壁
【図１】
0004089947.tif 000002
【図２】
0004089947.tif 000003
【図３】
0004089947.tif 000004
【図４】
0004089947.tif 000005
【図５】
0004089947.tif 000006
【図６】
0004089947.tif 000007
【図７】
0004089947.tif 000008
【図８】
0004089947.tif 000009